(57)【要約】【課題】  次亜塩素酸ソーダ溶液を配管によって移送する際の次亜塩素酸ソーダの分解による気泡発生を抑制するとともに次亜塩素酸ソーダ溶液と処理対象水がよく混合するようにする。【解決手段】次亜塩素酸ソーダ溶液を貯蔵槽から注入点に移送する配管を二重管とし、内側の管で次亜塩素酸ソーダ溶液を移送し、外側の配管に次亜塩素酸ソーダ溶液の冷却するための冷却水を流す。注入点直前で次亜塩素酸ソーダ溶液を冷却水と混合する。その混合にエジェクタを用いる。【選択図】        図１
2005169161.tif 000002
【特許請求の範囲】
【請求項１】
次亜塩素酸ソーダ貯蔵槽から次亜塩素酸ソーダ溶液を注入点に移送する次亜塩素酸ソーダ注入装置において、次亜塩素酸ソーダ溶液を移送する配管に二重管を使用し、内側の配管で前記次亜塩素酸ソーダ溶液を移送し、外側の配管に前記次亜塩素酸ソーダ溶液を冷却するための冷却水を流す次亜塩素酸ソーダ注入装置。
【請求項２】
次亜塩素酸ソーダ溶液移送配管の注入点側の末端部において次亜塩素酸ソーダ溶液を冷却水で希釈して注入する請求項１に記載の次亜塩素酸ソーダ注入装置
【請求項３】
次亜塩素酸ソーダ溶液移送配管の注入点側の末端部においてエジェクタを用いて次亜塩素酸ソーダ溶液を冷却水で希釈して注入する請求項２に記載の次亜塩素酸ソーダ注入装置
【発明の詳細な説明】
【技術分野】
【０００１】
本発明は、次亜塩素酸ソーダ水溶液を処理対象水に注入する装置に関する。
【背景技術】
【０００２】
次亜塩素酸ソーダ溶液は浄水処理、下水処理及び用水処理において水の殺菌に多く使用されている。次亜塩素ソーダ溶液を処理対象水に注入する場合、濃度約６から１２％の次亜塩素酸ソーダ溶液である市販の次亜塩素酸ソーダ溶液（以下、次亜原液）を注入するか、次亜原液を水で希釈して注入することが多い。しかし、次亜原液を配管によって移送する場合、配管周囲の気温が高いと次亜原液の液温上昇し、次亜塩素酸ソーダの分解により気泡が生じ、注入量が不安定となったり移送配管が気泡により閉塞するという問題があった。特に次亜原液の温度が２５℃以上になると次亜塩素酸ソーダの分解速度が増大し、気泡障害が著しくなる。また、次亜原液を希釈して移送すると気泡の発生は抑制できるが、希釈液に含まれるカルシウムやマグネシウムが次亜原液のアルカリ成分と反応して配管内にスケールが付着し配管が閉塞するという問題があった。
【０００３】
気泡障害を抑制する手段として、図２に示す次亜塩素酸ソーダ注入装置のように移送管の途中に気泡抜き管１３を設置し、次亜原液中に生じた気泡を抜く方法があるが、気泡抜き管１３を備えても配管壁に気泡が付着し、完全には気泡の除去はできなかった。また、次亜原液を配管から直接処理対象水に注入する場合、攪拌装置がないと次亜原液と水の比重差が大きいために十分混合しないという欠点があった。
【０００４】
次亜原液を希釈して注入する方法として、特開平１１−５７６８７号に記載されているように、軟水化装置を使用して軟水化した希釈水で次亜原液を希釈して移送する装置やエジェクタを使用して空気を吸い込みながら次亜原液を水で希釈して注入する装置が知られている。しかし、これらの希釈した次亜塩素酸ソーダ溶液を移送する方式の装置では次亜原液注入量調節の際に注入点の流量変化に時間遅れが発生し、残留塩素濃度制御に支障をきたすという欠点があった。
【０００５】
【特許文献１】特開平１１−５７６８７号公報
【発明の開示】
【発明が解決しようとする課題】
【０００６】
本発明の課題は次亜原液を次亜原液貯蔵槽から注入点へ移送する配管において気泡やスケールによる障害を防止することおよび次亜原液と処理対象水を良く混合させることである。
【課題を解決するための手段】
【０００７】
第一の発明においては、次亜原液貯蔵槽から次亜原液を注入点に移送する装置において、次亜原液を移送する配管に二重管を使用し、内側の配管で次亜原液を移送し、外側の管に冷却水を流す次亜塩素酸ソーダ注入装置を提供する。次亜原液を冷却水で冷却することにより次亜原液の液温は冷却水の温度に保たれ、次亜塩素酸ソーダの分解が抑制され次亜原液注入の際の気泡障害を防ぐことができる。
【０００８】
第二の発明においては、第一の発明における次亜塩素酸ソーダ注入装置において、次亜原液を移送する配管の注入点側の末端部において次亜原液を冷却水で希釈して注入する次亜塩素酸ソーダ注入装置を提供する。次亜原液を冷却水で希釈することにより処理対象水との比重差を小さくすることができるため注入点における次亜塩素酸ソーダと処理対象水の混合を改善することができる。
【０００９】
第３の発明においては、第２の発明における次亜塩素酸ソーダ注入装置において、エジェクタにより次亜原液を冷却水で希釈して注入する次亜塩素酸ソーダ注入装置を提供する。エジェクタを使用することにより次亜原液を冷却水によって十分に混合希釈することができ処理対象水との比重差を小さくすることができるため注入点における次亜塩素酸ソーダと処理対象水の混合をさらに改善することができる。
【発明の効果】
【００１０】
次亜移送配管を二重管にし、内側の配管で次亜原液を移送し、外側の配管に冷却水を流すことで次亜原液の気泡発生を防ぎ、注入点前でエジェクタにより次亜原液を冷却水で希釈することにより次亜塩素酸ソーダを処理対象水と十分混合することができる。
【発明を実施するための最良の形態】
【００１１】
以下、本発明を図面に示す実施の形態に基づいて説明する。なお、これにより本発明が限定されるものではない。
【００１２】
図１は本発明の一実施形態に係る次亜塩素酸ソーダ注入装置を示している。次亜原液貯蔵槽１内の次亜原液を計量ポンプ３によって配管を経由して注入点まで移送する。移送のための配管には内側の配管（内側配管１１）と外側の配管（外側配管９）から成る二重管７を用い、内側配管１１で次亜原液を移送し、外側配管９で冷却水としての水道水、浄水、処理対象水などを選択して送水する。内側配管１１は外側配管の内部を通すため、内側配管１１にはプラスチック製チューブのような柔軟性のある管を使用することが望ましい。外側配管９には水道用に使用されている各種配管を使用できる。
【００１３】
次亜原液の液温が２５℃以上になると次亜塩素酸ソーダの分解による気泡生成が著しくなるため、希釈水の水温は２５℃以下でより低いほうが好ましい。希釈水の水温が２５℃を超える場合は希釈水を冷却装置による冷却することが好ましい。冷却水の流速および流量は、注入点の前段における次亜原液の希釈割合を考慮して冷却水が注入点に到達するまでに水温が２５℃を超えないようにする。通常、希釈水の流量は次亜原液の注入量の５０から１００倍程度とする。
【００１４】
注入点１５においては、二重管７の末端部を注入点上部に配置し、直接処理対象水に落下させ、落下時に次亜原液と冷却水が混合するようにする。注入点側の外側配管９を内側配管１１よりも長くして、内側配管１１が存在しない箇所の外側配管９の内側に乱流を起こすような突起物や凸凹を設ければよく混合できる。図１のように注入点１５に混合槽１７を設け、混合槽１７に次亜原液と冷却水を落下させるとよく混合されてから処理対象水に注入できる。
【００１５】
図３はエジェクタ３７を二重管７の末端部に設けた本発明の次亜塩素酸ソーダ注入装置の配管部分の詳細を示した図である。このように二重管７の注入点側の末端にエジェクタ３７を設け、外側配管９の冷却水１３で次亜原液を吸引することにより希釈混合を十分行うことができる。エジェクタ３７を注入点側の末端に設けた場合、エジェクタ３７以後の部分にスケールが付着するが、エジェクタ部分を外して酸洗浄することにより簡単にスケールを除去することができる。
【００１６】
二重管７のポンプ側の末端部において、内側配管１１はシール部材３１を貫通し、シール部材３１と内側配管１１はチューブコネクタ３５によって固定され希釈水が漏洩しないようにする。
【００１７】
移送する次亜原液の冷却効果を高めるために内側配管１１が外側配管９の中心を通るように、内側配管１１を支持するサポート３３を使用することが好ましい。このサポート３３は冷却水の流れを妨げないような形状のものが好ましい。サポート３３は内側配管１１をサポート３３に通すことなく、内側配管１１の外側から取り付けられるように図４に示すような２つの部品を組み合わせる形状のものや、図５に示すように中央のリング状の部分を弾力性のある材質でつくり内側配管にはめ込むタイプのものを使用するとよい。
【産業上の利用可能性】
【００１８】
本発明は水処理の分野において、次亜塩素酸ソーダによる水の消毒のために利用する。
【図面の簡単な説明】
【００１９】
【図１】本発明による次亜塩素酸ソーダ注入装置を示した図である。
【図２】気泡抜き管を設けた従来の次亜塩素酸ソーダ注入装置を示した図である。
【図３】二重管末端部にエジェクタを設けた本発明による次亜塩素酸ソーダ注入装置の配管部分を示す図である。
【図４】内側配管のサポートの形状の一例を示す図である。
【図５】内側配管のサポートの形状の他の例を示す図である。
【符号の説明】
【００２０】
１  次亜原液貯蔵槽
３  計量ポンプ
５  流量計
７  二重管
９  外側配管
１１  内側配管
１３  冷却水
１５  注入点
１７  混合槽
３１  シール部材  
３３  サポート
３５  チューブコネクタ
３７  エジェクタ
３９  ユニオン
【図１】
2005169161.tif 000003
【図２】
2005169161.tif 000004
【図３】
2005169161.tif 000005
【図４】
2005169161.tif 000006
【図５】
2005169161.tif 000007